(57)【特許請求の範囲】
【請求項１】
レーザーにより特定の領域に情報を組み込んだ少なくとも１つのプラスチック層を有するデータキャリアであって、該プラスチック層が少なくとも部分的な領域に表面性状により第一の拡散性の光散乱特性を有し、前記領域にレーザー手段で作られる第二の拡散性の光散乱特性も持つ表面性状の局部的変化の形で第一の情報を付与され、前記第一の情報が周囲と何ら色彩対照なしに少なくとも或る視野角度で読みうることを特徴とするデータキャリア。
【請求項２】
前記プラスチック層が、前記部分的な領域に粗面領域を持ち、この粗面領域内に第一の情報が平滑な表面領域として存在することを特徴とする請求項１記載のデータキャリア。
【請求項３】
前記プラスチック層が前記部分的な領域に平滑な表面を有することを特徴とする請求項１記載のデータキャリア。
【請求項４】
前記第一の情報が前記プラスチック層の変形部として存在することを特徴とする請求項３記載のデータキャリア。
【請求項５】
前記第一の情報が前記プラスチック層の材料の除去部として存在することを特徴とする請求項３記載のデータキャリア。
【請求項６】
前記プラスチック層が少なくとも前記部分的領域にプラスチック層よりも高い透明度を持つ彩色層あるいはプラスチックフィルムを適用することを特徴とする請求項５記載のデータキャリア。
【請求項７】
前記第一の情報がマイクロレリーフを形成していることを特徴とする請求項３〜請求項５のいずれか１項に記載のデータキャリア。
【請求項８】
前記データキャリアが、目視で判別しうる色彩対照の形で付与された第二の読み取り可能な情報を有することを特徴とする請求項１〜請求項７のいずれか１項に記載のデータキャリア。
【請求項９】
前記データキャリアが、単層のアイデンテテイカードであることを特徴とする請求項１〜請求項８のいずれか１項に記載のデータキャリア。
【請求項１０】
前記データキャリアが、ブック型のアイデンテテイドキュメントであり、かつ第二の情報が第一のデータページに少なくとも部分的に存在することを特徴とする請求項１〜請求項８のいずれか１項に記載のデータキャリア。
【請求項１１】
前記第一の情報が、前記第一のデータページに配置されていることを特徴と請求項１０に記載のデータキャリア。
【請求項１２】
前記第一の情報が、前記第二のデータページに配置されていることを特徴とする請求項１０に記載のデータキャリア。
【請求項１３】
前記第一の情報が、前記第二の情報の内容と少なくとも部分的に同一であることを特徴とする請求項１〜請求項１２のいずれか１項に記載のデータキャリア。
【請求項１４】
前記プラスチック層が、ラッカーの層或いはプラスチックフィルムであることを特徴とする請求項１〜請求項１３のいずれか１項に記載のデータキャリア。
【請求項１５】
前記プラスチック層の表面性状を、少なくとも或る視野角度で読み取れる第一情報を作るためにレーザー手段で加工し、かつ前記プラスチック層がレーザー照射に晒された領域で変色せずに加工されるようにプラスチック材料とレーザー出力を相互に調整することを特徴とする請求項１記載のデータキャリアの製造方法。
【請求項１６】
前記レーザーがＮｄ：ＹＡＧ、ＣＯ2 或いはエクシマーレーザーであることを特徴とする請求項１５に記載のデータキャリアの製造方法。
【請求項１７】
材料の変色あるいは燃焼の形で第二の情報を付与するために、同一のレーザーを使用することを特徴とする請求項１５または請求項１６に記載のデータキャリアの製造方法。
【請求項１８】
前記プラスチック層を、レーザー照射により平滑化、溶解或いは部分的に除去することを特徴とする請求項１５〜請求項１７のいずれか１項に記載のデータキャリアの製造方法。
【発明の詳細な説明】
【０００１】
【発明の属する技術分野】
本発明は、アイデンテテイカード（ｉｄｅｎｔｉｔｙ  ｃａｒｄ）、クレジットカードあるいはその類似物のように少なくとも一つのプラスチック層にレーザーで或る領域に情報を組み込んだデータキャリアならびにそれを製造する方法に関するものである。
【０００２】
【従来の技術】
ここで問題のデータキャリアは、呼び出しカードあるいはラベル等のような視覚上で読み取り可能なデータを持つ何らかの情報キャリアである。しかしながら、本発明は、特に、例えばアイデンテテイカード、チップカード（ｃｈｉｐ  ｃａｒｄｓ）、パスポートあるいはその類似物で、一般情報のみならず個人的で殆どが顧客に関連する情報であるアイデンテフィケーションドキュメント（ｉｄｅｎｔｉｆｉｃａｔｉｏｎ  ｄｏｃｕｍｅｎｔｓ）に関するものである。後者は、通常、顧客の名前、誕生日、署名および写真のようなデータである。これらの個人的なデータは、改ざんや偽造から保護されなければならない。例えば、スキャナー、カラーコピーあるいはＣＡＤシステムのような高品質で安価な再生産方法と設備の蔓延と増加は、個人識別カード（ａｕｔｈｅｎｔｉｃ  ｉｄｅｎｔｉｔｙｃａｒｄｓ）の非常に良くできた模造品を生産することをかってない程容易ならしめている。そのため、新しくしかも技術的により精巧で信頼性のある技術が常に開発されなければならない。最近において、ホログラムのような表面構造が信頼性の尺度として主に使用されている。その理由は、それらがコピー機では再生産できない視覚的に際立ち、光学的に変化しうる色彩効果を提供するからである。更に、ホログラムの生産は非常に高価でかつ相当の技術的ノウハウを要求するため偽造の危険性が非常に低い。
【０００３】
一方、そもそもこの事実は、そのような努力は、特に、仮にそれらが少量しか生産されないような場合には或る製品に対しては経済的に採算の合わないことを意味している。
【０００４】
それ故に、ホログラフ構造は、しばしば浮き出し転写ホログラフとして別に生産され、しかも、熱および圧力作用下で或る領域にデータキャリアを転写していた。
【０００５】
ホログラフエレメント層の厚みは薄いが，真正なドキュメント（ａｕｔｈｅｎｔｉｃ  ｄｏｃｕｍｅｎｔｓ）からそのような層構造物を引き剥がして、それを偽物のドキュメントに転写することは熟練処理であれば可能である。
【０００６】
パスポートに関連し，本物の特徴（ａｕｔｈｅｎｔｉｃｉｔｙ  ｆｅａｔｕｒｅ）はこの不利な点を持たず，しかもコピー機で再生産されない可視的効果を生むものとしてＥＰ  ０  ５２３  ３０４  Ａ１で知られるようになった。パスポートにおいて、少なくとも１つのプラスチックフィルムに積層された通常のデータページ（ｄａｔａ  ｐａｇｅ）を有し、更に着色層が少なくとも部分的領域に写し出されたプラスチックフィルムを提供している。データページに接着剤で貼りつけられたパスポート所持者の写真は，機械的に印刻されるためオリジナルとして用いられている。絵柄情報は最終的なパスポートとして２度存在する。１度目は感光したフィルム、即ち通常の写真としてであり、２度目は印刻の形である。
【０００７】
ＥＰ  ０  ５１８  ３６３  Ａ１は，類似する方法を開示しているが、唯一の相違点は絵柄情報が特別な層構造に印刻されていることであり、そのために絵柄は反射光で非常に見えにくいものの、透過光によっては容易に見ることができる。最も簡単なケースにおいて、層構造物は、刻印層（ｅｎｇｒａｖｉｎｇ  ｌａｙｅｒ）、即ち高不透明度を持つ着色層によってカバーされた特定の不透明度を持つプラスチック層から成っている。
【０００８】
【発明が解決しようとする課題】
保護されるべきデータは、この場合写真であるが、写真を置き換えることによって容易に偽造されるが、実際的には変更不能な印刻が偽造の試みを暴露する可能性を提供する。
【０００９】
しかしながら、そのようなパスポートの作成方法は追加的な印刻のために非常に複雑になったというのは，オリジナル写真を接着剤で貼り付ける前にパスポートをピクセル毎にスキャンし、かつ電子的手段で直接印刻しなければならないからである。この印刻プロセスに続いて、特定の協会がパスポートが最終的に綴じられるまでオリジナル写真と印刻されたパスポートとさらに特定されたデータページを保証する必要がある。
【００１０】
更に，この方法では非常に優れた刻印機（ｇｒａｖｅｒｓ）を、十分なイメージ品質を保証するために使用しなければならず、また刻印機は高度の消耗に晒されている。しかも、この消耗するプロセスは連続して起こるため印刻品質を定常的に提供することが難しい。
【００１１】
【課題を解決するための手段】
従って、本発明は上記問題をべースにしてデータキャアを提供すると共に、それを製造する方法を提供するものであって、その方法は、本物の特徴を複製、複写し得ないもので、簡単でかつ最終製品に対する費用対効果を以て製造できるものである。
【００１２】
この問題は、独立クレームにある特徴で解決される。開発技術はサブクレームの目的である。
【００１３】
本発明は、プラスチックフィルムの表面品質が、当該プラスチック材料における変色を起こすことなく適切に制御されたレーザー手段で変更できるという知見に基づいている。これは、反射光によって見た際に可視的に認識しえないで視斜角で見た際にのみ明確に目立っている違った光線分散特性を持つ領域を形成する。このレーザーの熱作用は、例えばスムースな表面を粗面化したり、粗面をスムース化したり、透明な材料を曇らせたり、曇った材料を透明化したり、或いは全部の層領域を除去することができる。
【００１４】
多くの副次的利点を有するレーザーインスクリプション（ｌａｓｅｒ  ｉｎｓｕｃｒｉｐｔｉｏｎ）は、個人のものとするアイデンテテイドキュメントにおいて長い間通常の作業の一部としてされてきた（ＤＥ  ２９  ０７  ００４  Ｃ２、ＤＥ  ３０  ４８  ７３６  Ａ１、ＤＥ  ３１  ５１  ４０７  Ｃ１）。この分野における大きな問題の一つが個人的データの偽造防止方法であることから、この技術は材料の変色形態における環境と対照をなして明確に読み取り可能な情報を作り出す観点から盛んに検討されかつ開発されてきた。
【００１５】
また、レーザーによる色彩層の除去も上記観点から議論されてきた。例えば、ＤＥ  ３０  ４８  ７３３  Ａ１は、異なる色彩の幾つかの層が施されたアイデンテテイカードを提供することを開示している。個人化されたもの（ｐｅｒｓｏｎａｌｉｚａｔｉｏｎ）は、選択的な層の除去によって行われ、最表面の色彩層下に色彩層が見えるようにし、かつ他の色彩層と対照的になって容易に情報を読み取ることができるようになる。しかし、この方法は、個々の層の完全な除去を行うために幾つかの除去手段が必要となり、ＥＰ  ０  ３７２  ２７４  Ａ１では、層の厚み公差を補償することを可能とするために個々の色彩層の間にある透明でレーザー感光されたラッカー層を晒すことを提案している。上記ラッカーの層の一部をレーザー光に晒すことは熱的に変衰されるが、上記色彩層は放散に晒された領域でラッカーの層に沿って除去される。このデータキャリアの銘刻後、透明なラッカーが部分的に除去された層を通して下にある色彩層を認識しうると述べている。
【００１６】
これに反して、本発明の本質的な特徴は、基材の変色なしに、また周囲と対照的な色彩を生じさせることなしにレーザーによる材料の処理が行われることにある。
【００１７】
【発明の実施の形態】
本発明による好ましい実施形態によれば、スムースな表面を持つ単層ないし複層プラスチック製アイデンテテイカードに文字、パターン、その類似物をマイクロレリーフとして或る領域に施すことにある。レーザーの出力とプラスチック製材料は、プラスチック製材料がレーザーの作用によって変色しないようにお互いに整合させなければならない。マイクロレリーフは、反射光でも認識することができない繊細な構造を持っており、しかも視斜角でのみ見ることができる。
【００１８】
逆にいえば、アイデンテテイカードは、部分的な領域に粗面構造を施すこともできる積層プロセスの間に対応する場所に反対の構造を持つ積層板に適用し、更にカバーフィルム上に浮き彫り加工を施すこともできる。セキュリティ機能の付与の際に、照射に晒された領域がレーザーの作用熱で軟化されるために、レリーフ構造はこれ等の領域で消失し、カードの表面はスムース化される。この情報は、また視斜角で主に見ることができるようになる。
【００１９】
光学的な散乱特性におけるこれらの相違は、再生設備に慣用的に使用されている照明方法では認識されることはない。この効果は一般にこれらの方法によって調整可能でもない。
【００２０】
本発明による更なる好ましい実施形態によれば、データキャリアを外面で受けるプラスチックフィルムは、文字もしくはパターンの形態で銘刻される。すなわち、プラスチック材料はレーザーで蒸発させられるため、読み取り可能な情報の形態でプラスチック材料に窪みを設けることになる。
【００２１】
この製造方法は、特にパスポート作成において便利に使用することができる。この場合、色彩対照（ｃｏｌｏｒ  ｃｏｎｔｒａｓｔ）の形態において生じかつ容易に読み取り可能な少なくとも部分的な個人的なものとされるデータが、無色のレーザー銘刻の形態で再度ドキュメント上に適用される。この銘刻は、例えば、特別に印刷された情報、或いは色彩対照レーザー処理された情報に対して直接その下あるいはその上に、２種類の情報を速やかに比較しうるように配列することができる。
【００２２】
同様に、別の情報キャリアに銘刻された情報を配列することも可能である。これは、特に、幾つかのデータシートを既にあるブック型のパスポートに有用である。本発明は、通常のレーザーで銘刻したデータシートの使用を提供することができ、更にそのデータシートがプラスチックないしプラスチックフィルムを積層して作成され、少なくとも顧客に関連するデータ記録の部分、例えば所有者の写真がレーザーで材料の除去によって銘刻される。このプラスチックフィルムは、この場合何らかの不透明度を有している。もし、これが透明であったら銘刻された情報が視斜角で容易に読み取ることができる。もし、不透明ないし半透明フィルムが使用されると、銘刻以前に色彩層のあるプラスチックフィルム或いは高い不透明度をもつプラスチックフィルムを適用することによってすき入れ効果（ｗａｔｅｒｍａｒｋ  ｅｆｆｅｃｔ）を生じせしめることができる。これは、反射光で見ることが難しいが、透過光では透明度が相違する領域があるために明確に認識することができる。
【００２３】
レーザー刻印（ｌａｓｅｒ  ｅｎｇｒａｖｉｎｇ）は、機械的な刻印に比し決定的な利点を持ち、それは、刻印機が要求するような消耗部を持つことのない一定の高品質の刻印を作ることができる。更に、最終仕上げされたパスポートドキュメントの役割を果たすことができる。
【００２４】
本発明によれば、本物の特徴の作成は、特に、仮にデータキャリアが既にレーザーで色彩対照に印刻されている場合には、データキャリアの刻印プロセスに非常に有利に合成することができる。例えば、写真、名前、署名などの顧客に関する全データをアイデンテテイカードに銘刻するためには、通常、例えばレーザープリンター、インクジェットプリンター、レーザービーム等の種々の情報出力機器を制御して最終的に使用される一つのデジタルデータ記録に結合される。本発明において、色彩対照のなしに示された情報は、このデータ記録に追加される。もし、オリジナルデータ記録が光散乱領域での形態とは別に再度データキャリア上に適用されれば、これらのデータの新しいレーザー処理が他のレーザーで確実にするマーキングを施されなければならない。レーザーインスクリプションおよび無色のレーザー処理と対比するためにＮｄ：ＹＡＧレーザーのような１種類および同一のレーザーの使用が考えられる。変色が或るレーザー出力でのみ起こり、更に出力を上げるにつれて更に強くなり、最後には材料が完全に燃焼することに繋がるということはレーザーインスクリプション対比の分野では良く知られたことである。従って、出力調整可能なレーザーを使用することによって半調部のイメージを作ることが可能である。レーザービームは光学的システムによって調整されるために、その焦点はプラスチック材料の量に合わせられる。もし、焦点の位置が材料の表面領域、すなわち短尺側にシフトされると、放射に晒される領域の材料は、溶融して部分的に分解し、プラスチックの色の変化なしに割れを引き起こす。
【００２５】
しかしながら、別の種類のレーザー、例えばＣＯ2 レーザーやエクシマーレーザーも使用することができる。基盤材料は、基盤材料の分解エネルギーのパラメータ、レーザー出力およびレーザーの種類（例えば、パルスレーザー或いは連続照射レーザー）に大きく依存するプロセッシングにレーザーは最適である。これらのパラメータは、実験的に適用の各特殊ケースを最大限に利用しなければならない。
【００２６】
本発明は、セキュリティ機能が偽造に対する保護のために提供されることであり常に有利に使用することができる。また、本発明は注目されていないデザイニングデータ（ｄｅｓｉｇｎｉｎｇ  ｄａｔａ）への適用も可能である。例えば、ドキュメントのレイアウトを基本的に阻害し、その内容も一般大衆には殆ど興味のないような生産者側のデータが、ドキュメントの専有化も複雑化することなく同時に結合することができる。それらは、反射光では殆ど現れず、しかも殆どの場合視斜角で容易に認識され得る。
【００２７】
更に本発明の態様および利点は図面を参照して以下に説明する。
【００２８】
【実施例】
図１は、本発明によるデータキャリアを示したものである。アイデンテテイカードは、単層或いは複数の層で示され、いかなる形でも外側に受入れ可能なプラスチック層を持っている。当局の発行および顧客に関する通常の情報４が色彩対照で示され、カード１は本物の特徴２を有している。領域５は、その表面性状により第一の拡散性の光散乱特性を持っている。この領域５は、読み取り可能な情報、パターン或いはその類似物を示す領域３に阻止され、周囲とは異なる表面性状を持っている。従って、情報３は、或る視野角度で明確に情報を認識することが可能な異なる拡散性の光散乱特性を持っている。
【００２９】
勿論、データキャリア１は更に安全性の特徴或いは集約された回路を持っている。そのようなアイデンテテイカードは、同様にブック型のパスポートに含めることができる。
【００３０】
個人的なデータは、好ましくはプラスチック材料の変色の形でレーザーで結合される。データキャリア情報３の個人の名前は、データキャリア１のオリジナル表面性状を選択することによって同一もしくは違ったレーザーで追加的に結合される。これは、多くの違った方法で行うことができ、以下により詳細に説明する。
【００３１】
図２は、断面で本発明のデータキャリア１の変形を示したもので、プラスチック層６のみが処理されたことを示している。層６の下部には勿論更なるプラスチックないしは紙の層がある。
【００３２】
実施例において、プラスチックフイルムが粗面化された領域５に積層されたプレート或いは表面構造に単に移植することによって第一段階として適用される。引き続き、領域５が或る場所３で材料に調和してレーザーで照射される。レーザーの熱により領域３でプラスチック材料６が軟化する。軟質材料は移植構造を喪失してレリーフ領域が残り相対的に均一でスムースな領域３が現れる。
【００３３】
図３は、本発明のデータキャリア１の更なる態様を示している。ここで、プラスチック材料６の表面領域５は、均質のスムースな表面を持ち、情報３がレーザー銘刻の形で材料に移植される。また、材料は何ら変色を起こすことなく表面領域で溶けてしまう。
【００３４】
同じように、プラスチック層はフィルムとしてではなくキャリア層上のラッカー層としてデザインすることが可能である。
【００３５】
【発明の効果】
本発明は、特別に印刷された情報、或いは色彩対照レーザー処理された情報に対して直接その下あるいはその上に、２種類の情報を速やかに比較しうるように配列することで或る視野角度で容易に読み取ることが可能であるため偽造等の手段を確実に防止できるものである。
【図面の簡単な説明】
【図１】  図１は、本発明によるデータキャリアを示したものである。
【図２】  図２は、本発明のセキュリティ機能の態様を示したものである。
【図３】  図３は、本発明のセキュリティ機能の別の態様を示したものである。
【符号の説明】
１…カード（データキャリア）
２…本物の特徴
３…読み取り可能な情報領域
４…通常の情報領域
５…領域
６…プラスチック材料（プラスチック層）
【図１】
0003902257.tif 000002
【図２】
0003902257.tif 000003
【図３】
0003902257.tif 000004